(57)【要約】【課題】着物の着付けに慣れていない人が自分一人だけで着物を容易且つきれいに着ることができるようにする。【解決手段】  着物本体１０に締結手段１２を取り付けてなり、着物本体１０は左側の部位に挿通穴２６を有し、締結手段１２は紐状又はベルト状であり、締結手段１２は着物本体１０の裾から上方、足首から腰までの高さに略相当する高さ位置に、着物本体１０の幅方向の全体に亘って、背中心と略直交する状態で取り付けられており、締結手段１２は着物本体１０に取り付けられている固定部１２ａと、固定部１２ａの長手方向の両側に延長形成されている自由な状態の自由部１２ｂとからなる。【選択図】図１
2020097806.tif 000002
【特許請求の範囲】
【請求項１】
着物本体と、該着物本体に取り付けられた締結手段とからなり、該着物本体は左側の部位に挿通穴を有し、該締結手段は紐状又はベルト状であり、該締結手段は該着物本体の裾から上方、足首から腰までの高さに略相当する高さ位置に、該着物本体の幅方向の全体に亘って、背中心と略直交する状態で取り付けられており、該締結手段は該着物本体に取り付けられている固定部と、該固定部の長手方向の両側に延長形成されている自由な状態の自由部とからなることを特徴とする着物。
【請求項２】
前記締結手段は左右の衿先、左右の衽、左右の前身頃及び左右の後ろ身頃に取り付けられていることを特徴とする請求項１に記載の着物。
【請求項３】
前記締結手段は腰を有する材料からなることを特徴とする請求項１に記載の着物。
【請求項４】
前記挿通穴は前記前身頃と前記後ろ身頃の間に設けられていることを特徴とする請求項１に記載の着物。
【請求項５】
前記挿通穴は前記固定部の直上に設けられていることを特徴とする請求項１に記載の着物。
【請求項６】
前記締結手段の自由部は伸縮性を有していることを特徴とする請求項１に記載の着物。
【請求項７】
前記締結手段は前記着物本体の表面側又は裏面側に設けられていることを特徴とする請求項１に記載の着物。
【発明の詳細な説明】
【技術分野】
【０００１】
本発明は、着物の着付けに慣れていない人でも、自分一人で容易に着付けることができる着物に関するものである。
【背景技術】
【０００２】
一般に、着物は、次のようにして着付ける。まず、襦袢を通常の手順に従って着付ける。襦袢を着付けた後、着物を手に持ち、着物を背中側に回し、背中側に回した着物の衿を背中側に回した手で各々持ち、着物を背中に沿って滑らすように持ち上げ、両肩に掛ける。
【０００３】
着物を両肩に掛けた時、左右の手は着物の内側にある。着物の内側にある左右の手で襦袢の袖を掴んで着物の袖の中に各々入れる。襦袢の袖を着物の袖の中に入れた後、左右の手を着物の袖口から外に出す。着物の衿を一方の手で摘み、着物の背中心を他方の手で摘み、着物の背中心が背中の中央に来るように着物の位置を調整する。
【０００４】
着物の衿先を左右の手で各々掴み、着物を左右に大きく開き、この状態で着物を裾とともに持ち上げ、裾の高さが足首付近の高さ位置に来るようにする。裾の高さ位置をこの状態に維持した状態で、上前身頃を身体に巻き付ける。上前身頃を身体に巻き付けた状態で上前身頃の裾の高さ位置を確認し、必要であれば、着物を上下させ、裾の高さ位置が適正になるように調整する。
【０００５】
上前身頃の裾の高さ位置が適正になった時点で、上前身頃を大きく開いた元の状態に戻し、下前身頃を身体に巻き付ける。ここで、下前身頃の裾の高さは上前身頃の裾の高さより少し上の高さになるようにする。下前身頃を身体に巻き付けた後、下前身頃の上に上前身頃を被せるようにして身体に巻き付ける。
【０００６】
下前身頃の上に上前身頃を巻き付けた後、右手で上前身頃を下前身頃とともに腰の所で押さえ、上前身頃と下前身頃をこの状態に保つ。上前身頃と下前身頃をこの状態に保ちながら、近くに置いておいた腰紐を左手に取り、右手で腰の所を押さえたまま、この腰紐を両手で腰の高さ位置に素速く巻き付ける。腰紐を腰に巻き付けた後、腰紐の端部を結び、余った端部は腰紐に絡めて仕舞う。
【０００７】
腰紐を腰に巻き付けて締めた時、着物は腰紐より上方で身体の前後においてたるんで余った状態になっている。腰紐を腰に巻き付けて締めた後、身八つ口から手を入れ、着物の内側で、腰紐より上のたるんで余った状態になっている部分を腰紐より下方に落とす。
【０００８】
腰紐より下方に落とした部分がお端折りになる。お端折りの中に手を入れ、お端折りの下側のラインができるだけ水平になるようにお端折りの形を整える。このように形成したお端折りの上に伊達締めを締め、伊達締めを締めたお端折りの上に帯を締める。
【０００９】
着物の着付けは、概略、上述した通りであるが、上前身頃と下前身頃の裾の高さの調整、上前身頃と下前身頃の巻き付けとその保持、腰紐の締結は、上述した通り、とてもアクロバティックで、手際よくやらないと、着物を自分一人できれいに着付けることができない。
【００１０】
このため、着物の着付けに慣れていない人は、着付師に着付けをお願いするのが一般的であった。しかし、着付師に着物の着付けをお願いするとかなりの費用がかかるという問題があった。
【００１１】
また、着物は、これを着た人があちこち移動している中に、緩んだり、形が崩れてくる。着物が緩んだり、形が崩れてきた場合、自分で着物の緩みや崩れを直さなければならないが、着付けに慣れていない人は、着物の緩みや崩れを直すのが大変であり、うまく直せないこともあるという問題があった。
【００１２】
また、着付師は、着物が緩んだり、崩れたりするのを防止するため、固くてしっかりとした着付けをする傾向にある。しかし、固くてしっかりとした着付けをされると、着ている人が着物によって身体を締め付けられ、長時間苦しい思いをしなければならないという問題があった。
【００１３】
そこで、自分一人で容易に着付けることができ、長時間着ていても緩み難く、仮に緩んでも、その緩みを自分一人で容易に直すことができるような着物が望まれていた。
【先行技術文献】
【特許文献】
【００１４】
【特許文献１】特開２００６−２２７０号公報
【発明の概要】
【発明が解決しようとする課題】
【００１５】
本発明が解決しようとする課題は、着物の着付けに慣れていない人が自分一人で着物を容易且つきれいに着ることが難しい点である。
【課題を解決するための手段】
【００１６】
本発明は、着物の着付けに慣れていない人が自分一人で着物を容易且つきれいに着ることができるようにするため、着物本体の裾から上方、足首から腰までの高さに略相当する高さ位置に、該着物本体の幅方向の全体に亘って、紐状又はベルト状の締結手段を取り付け、該着物本体の左側の部位に該締結手段を通す挿通穴を設けたことを最も主要な特徴とする。
【００１７】
ここで、該締結手段は該着物本体に取り付けられている固定部と、該固定部の長手方向の両側に延長形成されている自由な状態の自由部とからなる。該締結手段の固定部は腰を有する材料により形成されているのが好ましい。腰を有するとは、一部を手で持って持ち上げたときに、元の形状が多少なりとも保たれている程度の硬さを有していることをいう。該締結手段の固定部が腰を有する材料からなる場合は、着付けの途中の動作で該締結手段を手探りで認識することができ、着付けの途中の動作を容易にさせることができるからである。
【００１８】
該締結手段の自由部の全部又は一部は伸縮性を有しているのが好ましい。伸縮性を有していると、締結手段を腰の廻りに締結したとき、適当な強さで締結することができるからである。該締結手段は背中心と略直交する状態で取り付けられている。該締結手段は左右の衿先、左右の衽、左右の前身頃及び左右の後ろ身頃に取り付けられている。該締結手段は該着物本体の表面側に設けられていても良いし、又は該着物本体の裏面側に設けられていても良い。
【００１９】
該挿通穴は該前身頃と該後ろ身頃の間に設けられている。該挿通穴は該固定部の上側に設けられている。該挿通穴の大きさは該締結手段の自由部が挿通できる程度以上が必要であり、できれば該締結手段の固定部が縫製・連結された衿先が少し通る程度が好ましい。
【発明の効果】
【００２０】
本発明に係る着物は、裾から上方、足首から腰までの高さに略相当する高さ位置に締結手段の固定部が縫製・連結されているので、締結手段の固定部を両手で各々持って、前方に引っ張れば、締結手段の固定部の存在を背中で感じることができるので、締結手段の固定部を手探り状態で腰の適正高さ位置まで持ち上げることができる。
【００２１】
また、本発明に係る着物は、締結手段の右側の自由部を挿通穴に通し、締結手段の固定部を着物本体と共に腰の高さまで持ち上げ、締結手段の左右の自由部を引っ張って締結手段を腰に締めると、下前身頃の上に上前身頃が重なった状態で着物本体が身体にしっかりと巻き付けられる。従来のように、下前身頃と上前身頃を重ね、腰の部分を右手で押さえながら腰の廻りに紐を巻いて締めるといったアクロバティックなことをしなくて済む。
【００２２】
また、本発明に係る着物は、裾から上方、足首から腰までの高さに略相当する高さ位置に締結手段の固定部が縫製・連結されているので、締結手段の固定部を腰の高さまで持ち上げれば、お端折りになる弛み部分が締結手段の上方に自然に形成される。この弛み部分を締結手段の固定部より外側に押して、下方に落とすと、締結手段の固定部を上縁としたお端折りが自然に形成される。着物の着付けに慣れていない人でも、自分一人でお端折りを容易に形成することができる。
【００２３】
また、本発明に係る着物は、下前身頃と上前身頃を重ね、腰の部分を右手で押さえながら腰の廻りに紐を巻いて締めるといったアクロバティックなことをしなくて済み、しかも、自分一人でお端折りを容易に形成することができるので、着物の着付けに慣れていない人でも、自分一人で着物を容易に着付けることができる。
【００２４】
また、本発明に係る着物は、着物本体と締結手段が一体的に縫製・連結されているので、長時間に亘って動き回っても、着物本体と締結手段がずれることがなく、従って、着物が着崩れし難いし、着物の緩みを直すのも容易である。
【００２５】
また、締結手段の固定部を腰のある素材で形成した場合、着付けをしている最中に、締結手段の固定部を、手探りで認識したり、背中で認識したりすることが更に容易になり、締結手段の固定部を着物と共に腰の高さまで持ち上げて、お端折りを作ることが更に容易になる。
【図面の簡単な説明】
【００２６】
【図１】図１は本発明に係る着物の一実施例を示す正面図である。
【図２】図２は本発明に係る着物の一実施例を示す背面図である。
【図３】図３は本発明に係る着物を着付ける際の着付けの手順を示す工程図である。
【図４】図４は本発明に係る着物の着付けにおける一手順を示すものであって、前身頃を両手で開いた状態を示す説明図である。
【図５】図５は本発明に係る着物の着付けにおける一手順を示すものであって、挿通穴を拡げた状態を示す説明図である。
【図６】図６は本発明に係る着物の着付けにおける一手順を示すものであって、挿通穴に締結手段の自由部を挿入する状態を示す説明図である。
【図７】図７は本発明に係る着物の着付けにおける一手順を示すものであって、締結手段の左右の自由部の基部付近と締結手段の固定部とを左右の手で各々一緒に掴んだ状態を示す説明図である。
【図８】図８は本発明に係る着物の着付けにおける一手順を示すものであって、左右の手で掴んだ締結手段を腰の高さまで持ち上げて締める状態を示す説明図である。
【図９】図９は本発明に係る着物の着付けにおける一手順を示すものであって、締結手段を腰の廻りで締める状態を示す説明図である。
【図１０】図１０は本発明に係る着物の着付けにおける一手順を示すものであって、腰の廻りで締めた締結手段の左右の自由部の端部を自由部の下に入れて始末する状態を示す説明図である。
【図１１】図１１は本発明に係る着物の着付けにおける一手順を示すものであって、背中側の弛み部分を締結手段の下側に落としてお端折りを作った状態を示す説明図である。
【図１２】図１２は本発明に係る着物の着付けにおける一手順を示すものであって、腹側の弛み部分を締結手段の下側に落としてお端折りを作ろうとしている状態を示す説明図である。
【図１３】図１３は本発明に係る着物の着付けにおける一手順を示すものであって、腹側にお端折りを作り、衿を整えた状態を示す説明図である。
【発明を実施するための形態】
【００２７】
着物を一人で容易且つきれいに着ることができるようにするという目的を、着物の構造を大幅に変えることなく、着物の着心地を損なわずに実現した。
【実施例１】
【００２８】
図１は本発明に係る着物の一実施例の正面図、図２は本発明に係る着物の一実施例の背面図である。以下、本発明に係る着物の一実施例について、図１及び図２を参照しながら説明する。
【００２９】
図１及び図２において、１０は着物本体であり、着物本体１０には締結手段１２が取り付けられている。着物本体１０は、従来から知られている通常の着物と略同一のものであり、前身頃１４、後ろ身頃１６、衽１８、衿２０及び袖２２を備えている。
【００３０】
前身頃１４は、右前身頃１４ａと左前身頃１４ｂとからなる。ここで、左右は着物を着ている本人から見た左右を言い、以下の説明においても同じである。後ろ身頃１６は、右後ろ身頃１６ａと左後ろ身頃１６ｂとからなる。衽１８は、右衽１８ａと左衽１８ｂとからなる。
【００３１】
右前身頃１４ａの左側の縦縁には右衽１８ａが縦に縫製・連結されている。右前身頃１４ａの右側の縦縁には右後ろ身頃１６ａが縦に縫製・連結されている。左前身頃１４ｂの右側の縦縁には左衽１８ｂが縦に縫製・連結されている。左前身頃１４ｂの左側の縦縁には左後ろ身頃１６ｂが縦に縫製・連結されている。
【００３２】
右後ろ身頃１６ａと左後ろ身頃１６ｂは相互に縦に縫製・連結されている。右後ろ身頃１６ａと左後ろ身頃１６ｂが縫製・連結されているライン（背縫い）の部分は背中心を形成している。
【００３３】
衿２０は左右の前身頃１４ａ，１４ｂの上縁の一部、左右の後ろ身頃１６ａ，１６ｂの上縁の一部、左右の衽１８ａ，１８ｂの上方の斜縁に縫製・連結されている。衿２０の左右の下端部は衿先２０ａ，２０ｂとなっている。
【００３４】
右前身頃１４ａの右縦縁の上方部と右後ろ身頃１６ａの右縦縁の上方部には略袋状の右袖２２ａが縫製・連結されている。左前身頃１４ｂの左縦縁の上方部と左後ろ身頃１６ｂの左縦縁の上方部には略袋状の左袖２２ｂが縫製・連結されている。
【００３５】
右前身頃１４ａと右後ろ身頃１６ａとの間で、右袖２２ａが縫製・連結されている部分の下方の続きには、未連結部分である右身八つ口２４ａが形成されている。左前身頃１４ｂと左後ろ身頃１６ｂとの間で、左袖２２ｂが縫製・連結されている部分の下方の続きには、未連結部分である左身八つ口２４ｂが形成されている。
【００３６】
締結手段１２は紐状又はベルト状の素材からなる。締結手段１２を形成している素材は手で触ったときにその存在を感じることができる程度に腰があるものが好ましい。締結手段１２は、着物本体１０の幅方向、すなわち、右衿先２０ａ、右衽１８ａ、右前身頃１４ａ、右後ろ身頃１６ａ、左後ろ身頃１６ｂ、左前身頃１４ｂ、左衽１８ｂ及び左衿先２０ｂにかけて縫製・連結されている。
【００３７】
締結手段１２は、着物本体１０に縫製・連結部されている固定部１２ａと、固定部１２ａの両端から外側に延長形成されている自由部１２ｂとからなる。締結手段１２の固定部１２ａは背中又は腰の高さ位置に縫製・連結されている。締結手段１２の固定部１２ａは背中心と略直交する状態で縫製・連結されている。締結手段１２の自由部１２ｂの固定部１２ａに近い部分はゴム等により伸縮可能に形成されている。
【００３８】
左前身頃１４ｂと左後ろ身頃１６ｂの間で、締結手段１２の上位置には締結手段１２の自由部１２ｂを挿通させる挿通穴２６が設けられている。挿通穴２６の大きさは締結手段１２の自由部１２ｂが挿通できる程度以上が必要であり、できれば締結手段１２の固定部１２ａが縫製・連結された衿先２０ａが少し通る程度が好ましい。
【００３９】
次に、本発明に係る着物の着付けの仕方について、図３〜図１３を参照しながら説明する。ここで、図３は本発明に係る着物を着付ける際の着付けの手順を示す工程図、図４〜図１３は本発明に係る着物の着付けにおける一手順を示すものであって、各手順の状態を示す説明図である。
【００４０】
まず、図３及び図４に示すように、襦袢の上に着物を羽織り、着物本体１０に取り付けられている締結手段１２の各自由部１２ｂ，１２ｂの基部を左右の手で掴み、着物本体１０を身体に沿って上下左右に滑らせて、着物本体１０が上下及び左右で適正位置にくるように着物本体１０の位置を調節する。
【００４１】
次に、図３及び図５に示すように、締結手段１２の右側の自由部１２ｂの基部を右手で掴み、左側の衿先２０ｂを左手で掴み、左前身頃１４ｂを斜め前方に引っ張って挿通穴２６を拡げる。
【００４２】
次に、図３及び図６に示すように、挿通穴２６に締結手段１２の右側の自由部１２ｂを挿入し、挿通穴２６を通った右側の自由部１２ｂを左手で外に引き出す。この状態で着物が身体にしっかり巻き付いていない場合は、締結手段１２の固定部１２ａが縫製・連結された衿先２０ａも少し引き出して、着物を身体にしっかりと巻き付ける。
【００４３】
次に、図３及び図７に示すように、挿通穴２６を通った右側の自由部１２ｂの基部を固定部１２ａの左側の部分と共に左手で掴み、左側の自由部１２ｂの基部を固定部１２ａの右側の部分と共に右手で掴む。締結手段１２の固定部１２ａは、手で触っただけでその存在が判るように、また、着物本体１０の下方の部分を締結手段１２と一緒に持ち上げることができるように、ある程度、腰がある素材で形成しておくのが好ましい。
【００４４】
次に、図３及び図８に示すように、締結手段１２の固定部１２ａを左右の手で各々掴んだまま、締結手段１２を腰の高さまで持ち上げ、左右の自由部１２ｂ、１２ｂを左右に引っ張り、締結手段１２を腰に締める。
【００４５】
次に、図３及び図１０に示すように、背中側の弛み部分を締結手段１２の固定部１２ａの外側に落として後ろ側のお端折り２８を作り、その形を整える。
【００４６】
次に、図３及び図１１に示すように、左右の身八つ口２４ａ，２４ｂから着物の中に手を入れ、着物の前側の弛み部分を締結手段１２の固定部１２ａの外側に落とし、前側のお端折り２８を作って、その形を整える。そして、衿２０の形や位置を整える。
【００４７】
次に、図３及び図１２に示すように、お端折り２８，２８の上に伊達締め（図示せず）を締めてお端折り２８，２８を固定し、伊達締め（図示せず）で固定されたお端折り２８，２８の上に帯（図示せず）を締める。
【００４８】
本発明に係る着物は、以上、説明したような手順により着付けが完了する。
【００４９】
本発明に係る着物は、以上、説明したように、従来の着付けのようなアクロバティックな着付け工程が無いので、着付けに慣れていない人が、自分一人で落ち着いて、無理なく着付けることができ、従って、着物を自分一人で容易且つきれいに着付けることができる。
【００５０】
また、本発明に係る着物は、締結手段が着物本体に縫製連結されているので、着ている中に形崩れを起こすような不都合もない。
【符号の説明】
【００５１】
１０  着物本体
１２  締結手段
１２ａ  固定部
１２ｂ  自由部
１４  前身頃
１４ａ  右前身頃
１４ｂ  左前身頃
１６  後ろ身頃
１６ａ  右後ろ身頃
１６ｂ  左後ろ身頃
１８  衽
１８ａ  右衽
１８ｂ  左衽
２０  衿
２０ａ  右衿先
２０ｂ  左衿先
２２  袖
２２ａ  右袖
２２ｂ  左袖
２４ａ  右身八つ口
２４ｂ  左身八つ口
２６  挿通穴
２８  お端折り
【図１】
2020097806.tif 000003
【図２】
2020097806.tif 000004
【図３】
2020097806.tif 000005
【図４】
2020097806.tif 000006
【図５】
2020097806.tif 000007
【図６】
2020097806.tif 000008
【図７】
2020097806.tif 000009
【図８】
2020097806.tif 000010
【図９】
2020097806.tif 000011
【図１０】
2020097806.tif 000012
【図１１】
2020097806.tif 000013
【図１２】
2020097806.tif 000014
【図１３】
2020097806.tif 000015